(57)【特許請求の範囲】
【請求項１】
上下左右枠により形成された枠体と、前記枠体内で引き違いに開閉される左右２枚の障子と、前記障子と平行に滑動可能な網戸を有する開口部装置であって、
前記左右の縦枠にそれぞれ障子の戸先を受け入れる凹部からなる戸じゃくりを形成し、前記一方の縦枠の戸じゃくりを障子略１枚分の幅に、他方の縦枠の戸じゃくりを障子略２枚分の幅に設定することにより、前記網戸の左右両戸先と対向し合う段部を前記左右の各縦枠に形成し、前記網戸の左右両戸先には、当該網戸を一方の縦枠に寄せて閉めたときに前記段部と重なり合うように戸じゃくり内に張り出すヒレ部を有する遮蔽部材を設けたことを特徴とする開口部装置。
【請求項２】
前記遮蔽部材のヒレ部は、前記段部を形成する壁面のうち、戸じゃくり側から立ち上がる壁面と、当該ヒレ部の先端が所定の僅かな距離を保って接触しないように張り出していることを特徴とする請求項１に記載の開口部装置。
【発明の詳細な説明】
【０００１】
【発明の属する技術分野】
本発明は、玄関等の家屋の開口部に取り付けられる引き戸、網戸を有する開口部装置に係り、特に、縦枠と網戸の戸先の間の隙間を確実に遮蔽できるようにした開口部装置に関する。
【０００２】
【従来の技術】
従来、この種の開口部装置は、一般家屋における玄関引き戸として広く利用されている。引き戸は、引き違いに開閉される２枚の障子からなり、さらに網戸を取り付けて、夏季などには、障子を開け放しにしても屋内に蚊などの虫が浸入しないようにすることができる。
【０００３】
網戸と縦枠の間には隙間が生じ易いので、従来から、この隙間から虫が浸入しないように、ひれ状の防虫材等を設けている。
【０００４】
【発明が解決しようとする課題】
しかしながら、縦枠は、厳密に真っ直ぐになっているとは限らず、また、経年的な変化によって、縦枠が次第に反ってくることがある。そうなると、網戸をぴしっと閉めたつもりであっても、縦枠との間には僅かな隙間が不可避的に生じており、虫が浸入することはなくても、昼間には外光がこの隙間から室内に入り込むことがある。また、夜であれば屋内の光が外に漏れることがある。この網戸の隙間からの光漏れは、意外に目立つもので、美観の上から好ましくない。
【０００５】
そこで、本発明の目的は、前記従来技術の有する問題点を解消し、縦枠と網戸の間に隙間を確実に生じないようにし、虫の浸入はもちろん光の漏れを解消できるようにした開口部装置を提供することにある。
【０００６】
【課題を解決するための手段】
前記の目的を達成するために、本発明は、上下左右枠により形成された枠体と、前記枠体内で引き違いに開閉される左右２枚の障子と、前記障子と平行に滑動可能な網戸を有する開口部装置であって、前記左右の縦枠にそれぞれ障子の戸先を受け入れる凹部からなる戸じゃくりを形成し、前記一方の縦枠の戸じゃくりを障子略１枚分の幅に、他方の縦枠の戸じゃくりを障子略２枚分の幅に設定することにより、前記網戸の左右両戸先と対向し合う段部を前記左右の各縦枠に形成し、前記網戸の左右両戸先には、当該網戸を一方の縦枠に寄せて閉めたときに前記段部と重なり合うように戸じゃくり内に張り出すヒレ部を有する遮蔽部材を設けたことを特徴とするものである。
【０００７】
前記遮蔽部材のヒレ部は、前記段部を形成する壁面のうち、戸じゃくり側から立ち上がる壁面と、当該ヒレ部の先端が所定の僅かな距離を保って接触しないように張り出していることが好ましい。
【０００８】
【発明の実施形態】
以下、本発明による開口部装置の一実施形態について、添付の図面を参照しながら説明する。
図１は、本発明を家屋の玄関引き戸に適用した実施形態を示す正面図である。玄関の開口部には、上枠である鴨居２、下枠である敷居３、左右の縦枠４、５を四方組した枠体が取り付けられており、この枠体に２枚の障子６、７が引き違いに開閉されるように建て付けられている。この玄関引き戸には、網戸が取り付けられるようになっているが、図１では網戸は省略されている。
【０００９】
図２は、引き戸の横断面を示す図である。参照符号８、９は、障子６を構成する縦框で、参照符号１０、１１は障子７を構成する縦框である。１２は障子６のガイドレールであり、１３は障子７のガイドレールである。網戸１２は、障子６、７と平行に最も室外側に配置されており、レール１７に沿って滑動させて開け閉めすることができる。１５、１６は網戸１２を構成する縦框である。
【００１０】
次に、図３は、図２における右縦枠５の戸じゃくり２０を示し、図４は、図２における左縦枠４の戸じゃくり２２を示している。まず、図３において、障子６では、縦框８の外縁部が戸先８ａになっており、戸じゃくり２０は、障子６を閉めたときに、戸先８ａを受け入れる凹部を構成している。この場合、戸じゃくり２２の幅は、障子６の一枚分に相当する幅寸法に設定されている。また、戸じゃくり２０のような凹部を右縦枠５に形成した結果、右縦枠５において、網戸１４の縦框１５の端縁部である戸先１５ａと対向する部分に段部２３が形成されている。網戸１４と段部２３の位置関係は、段部２３の方が若干室外側に寄った位置になっている。なお、図３において、２５は、障子６の縦框８との間の隙間をシールする気密材である。
【００１１】
他方、図４において、左縦枠４においても、戸じゃくり２２が形成されている。この左縦枠４に設けた戸じゃくり２２は、右縦枠５の戸じゃくり２０とは異なって、障子６、７の２枚分の幅を有する凹部として構成されている。障子７の縦框１１の外縁部である戸先１１ａは、戸じゃくり２２において室内側に寄った位置に入り込むようになっている。このように、左縦枠４の方に障子６、７の２枚分の幅を有する凹部を戸じゃくり２２として設けることによって、室外側の方に段部２４が形成されている。この段部２４には網戸１４の縦框１６の端縁部である戸先１６ａが対向する。好ましくは、網戸１４と段部２４の位置関係は、段部２４の方が若干室外側に寄った位置になっている。この段部２４は、右縦枠５の段部２３と同一平面上で対向し合う位置にある。図４において、２６は、障子７の縦框１１との間の隙間をシールする気密材である。
【００１２】
図３および図４に示されるように、網戸１４の左右の戸先１５ａ、１６ａには、ゴム等の可撓性の材料からなる遮蔽部材３０が取り付けられている。この遮蔽部材３０は、戸先の１５ａ、１６ａの室内側のコーナ縁の全長に亘って延びており、ヒレ部３１が戸じゃくり２０、２２に向かって張り出すようになっている。
【００１３】
図５に示されるように、例えば、網戸１４を左縦枠４に寄せて閉めたときには、遮蔽部材３０のヒレ部３１は、段部２４と重なり合うように戸じゃくり２２内に張り出すようになっている。これにより、網戸１４の戸先１６ａと左縦枠４の間に隙間が生じたとしてもヒレ部３１によって遮蔽されるので、例えば、昼間の外光が室内に入らないように確実に遮光され、夜間であれば室内の明かりが漏れことなく、さらには、虫などが室内に浸入するの防止することができる。
【００１４】
このようなヒレ部３１にあっては、段部２４を形成する面のうち、戸じゃくり２２側から立ち上がった壁面２４ａとヒレ部３１の先端が僅かな隙間ｌを保って、この壁面２４ａに接触しないように張り出すようになっている。網戸１４の場合、ガイドレール１７には、最大でも左右に１．５ｍｍ程度の遊び代４０が設けられているのが普通である。この遊び代４０があるため、網戸１４を閉めるときには、遊び代４０の分だけ左右に振れることがあるので、ヒレ部３１の先端と壁面２４ａの間の隙間ｌは、少なくとも遊び代以上の１．５ｍｍ上の間隔を保っていることが好ましい。なお、間隔ｌが５ｍｍ以上になると、段部２４の壁面２４ａから離れるように反ってしまって見栄えがしなくなるため好ましくない。ヒレ部３１は、湾曲しながら張出していてもよいし、直線的に張り出してもいずれでもよい。
【００１５】
このようにヒレ部３１が壁面と若干の距離を保って張り出すようにしておけば、網戸１４の建て付けに多少のがたつきがあり、閉めるときにぶれがあっても、ヒレ部３１が段部２４に乗り上げて遮蔽が不十分になったりすることがない。
【００１６】
なお、図３において、網戸１４を左縦枠４に寄せて閉めたときの遮蔽部材３０のヒレ部３１の作用は、上記と同様である。この場合、ヒレ部３１は、壁面２３ａと１．５mm度の間隔を保って障子６の戸先８ａから徐々に離れるように湾曲して張り出すようになっていることが好ましい。これにより、ヒレ部３１に障子６の戸先８ａが干渉することなく、十分な遮蔽機能を確保することができる。
【００１７】
【発明の効果】
以上の説明から明らかなように、請求項１の発明によれば、左右の縦にそれぞれ障子の戸先を受け入れる凹部からなる戸じゃくりを形成し、前記一方の縦枠の戸じゃくりを障子１枚分の幅に、他方の縦枠の戸じゃくりを障子２枚分の幅に設定することにより、前記網戸の左右両戸先と対向し合う段部を前記左右の各縦枠に形成し、前記網戸の左右両戸先には、当該網戸を一方の縦枠に寄せて閉めたときに前記段部と重なり合うように戸じゃくり内に張り出すヒレ部を有する遮蔽部材を設けているので、網戸の戸先と縦枠の間に生じる隙間はヒレ部によって遮蔽されるので、外光が入らないように確実に遮光され、さらには、虫などが室内に浸入するのを防止することができる。
【００１８】
また、請求項２の発明によれば、遮蔽部材のヒレ部は、前記段部を形成する壁面のうち、戸じゃくり側から立ち上がる壁面と、当該ヒレ部の先端が所定の僅かな距離を保って接触しないように張り出しているので、網戸を閉めるときにぶれがあっても、ヒレ部が段部に乗り上げて遮蔽が不十分になったりすることがなく、確実に遮蔽できる。
【図面の簡単な説明】
【図１】本発明の一実施形態による玄関引き戸の正面図。
【図２】同実施形態による玄関引き戸の横断面図。
【図３】右縦枠の戸じゃくりを示す横断面図。
【図４】左縦枠の戸じゃくりを示す横断面図。
【図５】網戸を閉めた状態での戸じゃくりと遮蔽部材のヒレ部を示す図。
【符号の説明】
２  鴨居（上枠）
３  敷居（下枠）
４  左縦枠
５  右縦枠
６  障子
７  障子
１４  網戸
２０  戸じゃくり
２２  戸じゃくり
２３  段部
２４  段部
３０  遮蔽部材
３１  ヒレ部
【図１】
0004820503.tif 000002
【図２】
0004820503.tif 000003
【図３】
0004820503.tif 000004
【図４】
0004820503.tif 000005
【図５】
0004820503.tif 000006